(57)【要約】【課題】検査対象物の移動速度が変化することによる不都合がより生じ難い画像処理システムを得る。【解決手段】実施形態にかかる画像処理システムにあっては、移動する検査対象物が撮像されて得られた画像データを画像処理する画像処理部と、画像処理部で画像データの画像処理が行われる前に、当該画像データの輝度値を、検査対象物が移動する速度が遅いほど低くなるよう修正する前処理部と、を備えた。【選択図】図５
2014092481.tif 000002
【特許請求の範囲】
【請求項１】
移動する検査対象物が撮像されて得られた画像データを画像処理する画像処理部と、
前記画像処理部で前記画像データの画像処理が行われる前に、当該画像データの輝度値を、前記検査対象物が移動する速度が遅いほど低くなるよう修正する前処理部と、
を備えた、画像処理システム。
【請求項２】
前記前処理部は、前記検査対象物を搬送する搬送部に含まれる回転部の回転数に基づいて、前記画像データの輝度値を修正する、請求項１に記載の画像処理システム。
【請求項３】
前記前処理部は、前記検査対象物に対応して撮像された参照マークの画像の輝度値に基づいて、前記画像データの輝度値を修正する、請求項１に記載の画像処理システム。
【請求項４】
前記画像処理部には、
第一の装置に設けられた、画像データから所定の条件によって第一の画素と第二の画素とが分けられた区分データを得る第一の演算処理部、前記区分データ中の前記第一の画素の周囲の一定の範囲の画素を前記第一の画素とする第二の演算処理部、ならびに当該第二の演算処理部で処理された前記区分データから一定間隔の格子状の画素の前記区分データを抽出した間引きされた前記区分データを得る第三の演算処理部と、
第二の装置に設けられた、前記間引きされた区分データから前記第一の画素が集まった画素群を得る第四の演算処理部、ならびに前記画素群の中から特定領域を決定する第五の演算処理部と、が含まれた、請求項１〜３のうちいずれか一つに記載の画像処理システム。
【請求項５】
前記第一の装置は、前記画像データから前記一定間隔の格子状の画素のデータを取得した間引きされた前記画像データを取得する第六の演算処理部を備え、
前記第二の装置は、前記間引きされた画像データと前記第五の演算処理部で特定された前記特定領域を示すデータとを合成する第七の演算処理部を備えた、請求項４に記載の画像処理システム。
【請求項６】
前記第一の装置はプログラマブルロジックデバイスを含み、前記第二の装置はコンピュータプログラムにしたがって動作するデバイスを含む、請求項４または５に記載の画像処理システム。
【発明の詳細な説明】
【技術分野】
【０００１】
本発明は、画像処理システムに関する。
【背景技術】
【０００２】
従来、移動する検査対象物が撮像された画像データから画像処理によって欠陥や異常等を検査する画像処理システムが知られている。
【先行技術文献】
【特許文献】
【０００３】
【特許文献１】特開２００６−２７５９７２号公報
【発明の概要】
【発明が解決しようとする課題】
【０００４】
この種の画像処理システムでは、検査対象物の移動速度が変化することによる不都合がより生じ難いのが好ましい。
【０００５】
そこで、本発明は、一例としては、検査対象物の移動速度が変化することによる不都合がより生じ難い画像処理システムを得ることを目的の一つとする。
【課題を解決するための手段】
【０００６】
本発明にかかる画像処理システムにあっては、移動する検査対象物が撮像されて得られた画像データを画像処理する画像処理部と、前記画像処理部で前記画像データの画像処理が行われる前に、当該画像データの輝度値を、前記検査対象物が移動する速度が遅いほど低くなるよう修正する前処理部と、を備えた。
【発明の効果】
【０００７】
本発明によれば、一例としては、検査対象物の移動速度が変化したことによる不都合がより生じ難い画像処理システムを得ることができる。
【図面の簡単な説明】
【０００８】
【図１】図１は、実施形態にかかる画像処理システムにおける検査対象物、当該検査対象物の搬送部、ならびに撮像部の一例が示された概略図である。
【図２】図２は、実施形態にかかる画像処理システムにおける検査対象物の移動形態の一例が示された図である。
【図３】図３は、実施形態にかかる画像処理システムにおける検査対象物の移動形態の別の一例が示された図である。
【図４】図４は、実施形態にかかる画像処理システムで用いられる信号の波形の一例が示された図である。
【図５】図５は、実施形態にかかる画像処理システムの一例のブロック図である。
【図６】図６は、実施形態にかかる画像処理システムでの処理手順の一例のフローチャートである。
【図７】図７は、実施形態にかかる画像処理システムで用いられる検査対象物の一例が示された説明図である。
【図８】図８は、実施形態にかかる画像処理システムで処理される前の画像データの一部の一例が示された図である。
【図９】図９は、実施形態にかかる画像処理システムの第一の演算処理部によって図８の画像データから得られた区分データの一例が示された図である。
【図１０】図１０は、実施形態にかかる画像処理システムの第二の演算処理部で図９の区分データの一つの第一の画素についてその周囲で第一の画素とされる範囲の一例が示された図である。
【図１１】図１１は、実施形態にかかる画像処理システムの第二の演算処理部で図９の区分データの二つの第一の画素についてその周囲で第一の画素とされる範囲の一例が示された図である。
【図１２】図１２は、実施形態にかかる画像処理システムの第二の演算処理部で図１０中の全ての第一の画素についてその周囲で第一の画素とされる範囲の一例が示された図である。
【図１３】図１３は、実施形態にかかる画像処理システムの第三の演算処理部で図１２の区分データから間引きされる画素の一例が示された図である。
【図１４】図１４は、実施形態にかかる画像処理システムの第三の演算処理部で図１３の区分データから抽出された間引きされた区分データの一例が示された図である。
【図１５】図１５は、実施形態にかかる画像処理システムの第一の装置から第二の装置に送られた区分データの一例が示された図である。
【図１６】図１６は、実施形態にかかる画像処理システムの第五の演算処理部で決定された特定領域の一例が示された図である。
【図１７】図１７は、実施形態にかかる画像処理システムの第七の演算処理部で間引きされた画像データと間引きされた区分データとが合成された一例が示された図である。
【発明を実施するための形態】
【０００９】
本実施形態では、一例として、検査対象物１００は、帯状かつシート状に構成され、図１に示されるように、ローラ１０ａ（回転部）を有した搬送部１０によって搬送されて、移動する。移動する検査対象物１００の面１００ａ（検査対象領域）が、撮像部２によって撮像され、画像データが得られる。搬送部１０による検査対象物１００の搬送により、撮像部２による撮像領域が変化する（移動する）。撮像部２は、例えば、二次元に配列された光電変換素子（光電変換部）を有したラインセンサ（固体撮像素子、例えば、ＣＣＤ（charge coupled device）イメージセンサや、ＣＭＯＳ（complementary metal oxide semiconductor）イメージセンサ等）である。検査対象物１００は、一例としては、シート（紙、フィルム、膜、板等）であるが、移動し、かつ撮像部２の撮像によって画像データが得られるものであれば、何でもよい。図１の例では、面１００ａを撮像する撮像部２のみ設けられているが、面１００ａとは反対側の面１００ｂを撮像する撮像部（図示されず）が設けられてもよい。なお、撮像部２は、二次元の領域を撮像して、二次元の画像データを取得するエリアセンサであってもよい。
【００１０】
検査対象物１００は、図２に示されるように、一方向のみ（往路のみ）に搬送されてもよいし、図３に示されるように一方向および他方向（往復方向）に搬送されてもよい。図２，３の例では、検査対象物１００が等速で搬送される（移動する）区間Ｔｕや、検査対象物１００が一方向に加速され（他方向には減速され）ながら搬送される（移動する）区間Ｔａ、検査対象物１００が一方向に減速され（他方向には加速され）ながら搬送される（移動する）区間Ｔｄ、ならびに検査対象物１００の搬送が停止される区間Ｔｓ等が設定されうる。各区間Ｔｕ，Ｔａ，Ｔｄ，Ｔｓにおける加速度の大きさや、時間の長さは、適宜に変更して実施することができる。
【００１１】
また、本実施形態では、一例として、撮像部２による撮像に、図４に示される三つの信号が関わる。クロック信号は、一定の周期（周波数）でハイレベル（Ｈ）とローレベル（Ｌ）とが切り替わる信号である。エンコーダ信号は、搬送部１０のローラ１０ａの回転に応じて出力される信号（回転検出信号、速度検出信号）である。エンコーダ信号は、エンコーダ１１（回転検出部、一例としては、ロータリエンコーダ、図５参照）から出力される。シャッター信号は、撮像部２に対して、撮像（撮影）を指示する信号である。言い換えれば、撮像部２は、入力されたシャッター信号に応じて、撮像（撮影）を実行する。シャッター信号は、一例としては、クロック信号とエンコーダ信号との論理積（ＡＮＤ）である。すなわち、図４の例では、シャッター信号は、エンコーダ信号がローレベル（Ｌ）からハイレベル（Ｈ）に変化した際に、その直後のクロック信号がローレベル（Ｌ）からハイレベル（Ｈ）に変化するのに合わせて、ローレベル（Ｌ）からハイレベル（Ｈ）に変化する。なお、検査開始の際は、シャッター信号は、その直後のクロック信号がローレベル（Ｌ）からハイレベル（Ｈ）に変化するのに合わせて、ローレベル（Ｌ）からハイレベル（Ｈ）に変化する。シャッター信号は、ハイレベル（Ｈ）に変化した後は、クロック信号の変化に合わせてハイレベル（Ｈ）からローレベル（Ｌ）に変化する。そして、本実施形態では、一例として、撮像部２は、シャッター信号がローレベル（Ｌ）からハイレベル（Ｈ）に変化したのに合わせて撮像を開始し、次にシャッター信号がローレベル（Ｌ）からハイレベル（Ｈ）に変化したのに合わせて撮像を終了し、すぐに次の撮像を開始する。すなわち、本実施形態では、一例として、シャッター信号の周期により、撮像部２による撮像時間（露光時間、図４ではＴｅ１，Ｔｅ２，Ｔｅ３等）が変化する。
【００１２】
このような画像処理システム１では、検査対象物１００の速度が低いほど、撮像部２による撮像時間が長くなるため、撮像部２の各画素（素子、光電変換素子）で得られる光量（輝度値、濃度）が増大し、画像が明るくなる。具体的には、例えば、図２，３に示されるような、検査対象物１００が一方向に加速されながら搬送される区間Ｔａや、検査対象物１００が一方向に減速されながら搬送される区間Ｔｄにおいて、検査対象物１００の速度が、検査対象物１００が等速で搬送される区間Ｔｕの速度より低い場合に、このような問題が生じやすい。この場合、例えば、撮像部２で得られた画像データ（画素データ）の明るさやコントラストが局所的に異なっていたり、当該画像データに画像処理が実行される際に輝度値に対応した閾値の設定が難しくなったりといった、問題が生じやすい。かと言って、撮像部２による撮像を、シャッター信号がハイレベル（Ｈ）にある時間だけ行うと、シャッター信号がローレベル（Ｌ）にある時間では、欠陥や異常等の検出が実行できなくなり、検査対象物１００の速度が低い際に、欠陥や異常等の検出精度が低下しかねない。そこで、本実施形態では、一例として、図５の前処理部３１が、画像処理部３０，４０で画像データの画像処理が行われる前に、当該画像データの輝度値を、検査対象物１００が移動する速度が遅いほど低くなるよう修正する。この前処理部３１の処理については、後述する。
【００１３】
本実施形態では、一例として、図５に示される画像処理システム１の画像処理部３０，４０は、複数の一次元の画像データを組み合わせて構成された二次元の画像データや、複数の二次元の画像データを組み合わせて構成されたより広い二次元の画像データについて検査対象物１００の検査を行うことができる。二次元の画像データには、二次元配列された複数の画素の輝度値のデータ（以下、画素データと称する）が含まれている。
【００１４】
また、本実施形態では、一例として、画像処理システム１は、第一の装置３と第二の装置４とを備えている。第一の装置３は、例えば、複数の論理回路が集積された集積回路、一例としては、プログラマブルロジックデバイス（ＰＬＤ：programmable logic device、例えば、ＦＰＧＡ（field-programmable gate array）や、ＣＰＬＤ（complex programmable logic device）等）や、ＡＳＩＣ（application specific integrated circuit）等を含むことができる。第一の装置３は、並列で比較的（第二の装置４より）高速な演算処理が可能である。第一の装置３がプログラマブルロジックデバイスを含む場合、第一の装置３の製造後に論理回路の書き換えが可能であるため、便利であるとともに、検査対象物１００や、撮像環境、装置スペック等に合わせて論理回路を変更することで、演算（検査）の精度や速度等がより向上されやすい。
【００１５】
また、第二の装置４は、例えば、コンピュータプログラム（ソフトウエアプログラム）にしたがって演算（逐次処理）を実行するデバイス（制御部４１、一例としては、ＣＰＵ（central processing unit）や、ＤＳＰ（digital signal processor）等）を含むことができる。第二の装置４は、記憶部４２（例えば、ＲＡＭ（random access memory）や、ＲＯＭ（read only memory）、フラッシュメモリ、ＨＤＤ（hard disk drive）、ＳＳＤ（solid state drive）等）を含み、所謂コンピュータとして構成されうる。コンピュータプログラムは、記憶部４２の一部（不揮発性の記憶部）にインストールされる（記憶される）。また、第二の装置４で演算された結果は、表示部５で表示される。表示部５は、例えば、ＬＣＤ（liquid crystal display）や、ＯＥＬＤ（organic electro-luminescent display）等である。
【００１６】
第一の装置３は、前処理部３１や、記憶部３２、第一の演算処理部３３、第二の演算処理部３４、第三の演算処理部３５、第六の演算処理部３６等を備える。また、第二の装置４は、制御部４１や、記憶部４２等を備える。制御部４１は、第四の演算処理部４３や、第五の演算処理部４４、第七の演算処理部４５、表示制御部４６等を有する。このうち、第一の演算処理部３３や、第二の演算処理部３４、第三の演算処理部３５、第六の演算処理部３６等が、第一の装置３に含まれる画像処理部３０の一例であり、第四の演算処理部４３や、第五の演算処理部４４、第七の演算処理部４５等が、第二の装置４に含まれる画像処理部４０の一例である。
【００１７】
以下、図５〜図１７を参照しながら、第一の装置３および第二の装置４の構成ならびに動作が示される。なお、図６の処理フローは、あるタイミングでの処理を示しており、タイムステップ（時間間隔）後の次のタイミングでは、当該次のタイミングに対応した画像データについて、図６と同じ処理フローが実行される。
【００１８】
まずは、撮像部２で撮像が行われる（ステップＳ１）。次に、前処理部３１で、必要に応じて、二次元の画像データについて、前処理が行われる（ステップＳ２）。このステップＳ２で実行される前処理としては、画像処理の一般的な前処理（フィルタリングや、平滑化等）の他、公知のベイヤ配列パターンにおける補間処理や、輝度値の補正処理等がある。ベイヤ配列パターンとは、撮像部２の各画素に対応する素子（図示されず）がＲ（赤）、Ｇ（緑）、またはＢ（青）のうち一色の画素データ（輝度値）を取得する配列パターンである。撮像部２の素子がベイヤ配列パターンで配列されている場合、前処理部３１は、他の色の画素データを、他の複数の画素（周囲の画素）の画素データを用いて補間することができる。
【００１９】
また、前処理部３１は、ステップＳ２で、画素データ（画像データを構成する各画素の各色の輝度値）を、検査対象物１００が移動する速度（検査対象物１００の搬送速度）が遅いほど低くなるよう修正する。一例として、前処理部３１は、エンコーダ１１から出力されたエンコーダ信号の時間間隔に応じて、画素データを修正することができる。エンコーダ信号の時間間隔が長いほど、当該時間間隔中に取得される（出力される）クロック信号の数はより多く、ローラ１０ａの回転速度すなわち検査対象物１００の搬送速度はより遅い。よって、前処理部３１は、所定の速度（等速）で搬送されている区間Ｔｕでのエンコーダ信号の時間間隔でのクロック数Ｎｕ、受信されたエンコーダ信号の時間間隔でのクロック数Ｎ、各画素の輝度値Ｌから、各画素の修正された輝度値Ｌｍを、
［数１］
Ｌｍ＝Ｌ×Ｎｕ／Ｎ  ・・・（１）
によって算出する。これにより、前処理部３１は、輝度値Ｌｍを、エンコーダ信号間のクロック数Ｎが大きく、ローラ１０ａの回転速度が低いほど、すなわち、検査対象物１００の移動速度が低いほど、低くなるように、修正することができる。
【００２０】
また、別の一例として、前処理部３１は、参照マーク１０１の輝度値に基づいて、画素データを修正することができる。図７に例示されるように、検査対象物１００の検査対象領域Ａｄに対して、搬送方向（移動方向、副走査方向）と交叉する方向（本実施形態では、一例として直交方向、主走査方向）に、参照領域Ａｒが設けられ、当該参照領域Ａｒ中に、参照マーク１０１が設けられている。搬送方向と直交する方向に互いに隣接した検査対象領域Ａｄと参照領域Ａｒとの移動速度（搬送速度）は同じである。よって、前処理部３１は、所定の速度（等速）で搬送されている区間Ｔｕでの参照マーク１０１の輝度値Ｌｋ、撮像部２で撮像された画素データと同じ移動速度の参照マーク１０１の輝度値Ｌｋｕ、ならびに各画素の輝度値Ｌから、各画素の修正された輝度値Ｌｍを、
［数２］
Ｌｍ＝Ｌ×Ｌｋｕ／Ｌｋ  ・・・（２）
によって算出する。これにより、前処理部３１は、輝度値Ｌｍを、参照マーク１０１の輝度値Ｌｋが大きいほど、すなわち、速度が所定の速度より低いほど、低くなるように、修正することができる。なお、参照マーク１０１は、図７の例では、搬送方向に帯状に細長く延びた状態に設けられているが、ドット状や他の形状であってもよい。また、参照マーク１０１は、検査対象物１００以外（例えば搬送ベルト等）に設けられうる。そして、記憶部３２には、各画素の各色の画素データ（前処理部３１によって前処理されかつ間引きされていない画素データ、各画素の各色の輝度値）が記憶される。
【００２１】
第六の演算処理部３６は、記憶部３２から取得した画素データを間引きする（ステップＳ３）。このステップＳ３では、一例として、第六の演算処理部３６は、画素データを、互いに直交するｉ方向およびｊ方向の双方について、４画素おきに格子状に間引きし、１６分の１（１／１６）の画素が有効な画素データとし、残りの１６分の１５（１５／１６）の画素は無効な画素データとする。第六の演算処理部３６で間引きされた画素データは、第二の装置４に送られる。
【００２２】
第一の演算処理部３３は、記憶部３２から取得した画素データから区分データを生成する（ステップＳ４）。このステップＳ４では、第一の演算処理部３３は、一例として、二値化処理を行う。すなわち、第一の演算処理部３３は、設定された閾値に対する画素データ（輝度値）の値の大小に応じて、区分データを生成する。例えば、各画素の画素データの値が設定された閾値と同じかあるいは当該閾値より大きい場合には当該画素を第一の画素ｐ１（図９参照、例えば、値「２５５」）とし、各画素の画素データが設定された閾値より小さい場合には当該画素を第二の画素ｐ０（図９参照、例えば、値「０」）とする。各画素が、第一の画素ｐ１か第二の画素ｐ０かは、その値によって区分することができる。すなわち、このステップＳ４で各画素の区分データが得られ、このステップＳ４で各画素について与えられた値（一例としては、「２５５」か「０」）が区分データの一例である。第一の演算処理部３３の演算により、図８に例示された画素データから、図９に示された区分データが得られる。図８で濃い領域Ａ１に対応した部分の画素が、第一の画素ｐ１（ハッチングが施された部分）であり、それ以外の部分の画素が、第二の画素ｐ０（白抜きの部分）である。なお、第一の演算処理部３３は、Ｒ（赤）、Ｇ（緑）、またはＢ（青）の三色のうちいずれか一色の画素データについて区分データを生成することができるし、各画素についての複数または全ての色の画素データの合計値（輝度値の合計値）や所定の比率での重み付け加算値（重み付け平均値）等について、区分データを生成することができる。また、第一の演算処理部３３は、画像中の特定の領域についてのみ区分データを生成したり、特定の領域については区分データを生成しないようにしたりすることができる。その場合、第一の演算処理部３３は、区分データを生成しない領域の画素を、第二の画素とすることができる。
【００２３】
次に、第二の演算処理部３４は、区分データ中の第一の画素ｐ１の周囲の一定の範囲の画素を、第一の画素ｐ１とする（ステップＳ５）。このステップＳ５では、例えば、図１０に示されるように、第一の画素ｐ１１（ｐ１）について、当該第一の画素ｐ１１を中心とした７×７の領域Ａｓ１（一定の範囲）を第一の画素とする。また、図１１に示されるように、第一の画素ｐ１２（ｐ１）について、当該第一の画素ｐ１２を中心とした７×７の領域Ａｓ２を第一の画素とする（第二の画素ｐ０から第一の画素ｐ１に変更する）。これにより、図１２に示されるように、領域Ａｓ内の画素が、第一の画素ｐ１となり、領域Ａｓ外の画素が、第二の画素ｐ０となって、ステップＳ４で第一の演算処理部３３が決定した第一の画素ｐ１の周囲に第一の画素ｐ１ｓ（ｐ１）が拡張された状態となる。
【００２４】
次に、第三の演算処理部３５は、第二の演算処理部３４で変更された区分データから一定間隔の格子状の画素ｐｔ（図１３参照）の区分データを抽出した間引きされた区分データを得る（ステップＳ６）。このステップＳ６では、第三の演算処理部３５は、例えば、図１３，１４に示されるように、ステップＳ５で第二の演算処理部３４が決定した区分データ（第一の画素ｐ１ならびに第二の画素ｐ０）を、ｉ方向およびｊ方向の双方について、４画素おきに格子状に間引きし（４画素おきに画素データを残し）、１６分の１（１／１６）の画素が有効な画素データｐｔとし、残りの１６分の１５（１５／１６）の画素は無効な画素データとする。このステップＳ６での間引き率は、ステップＳ３での間引き率と同じである。これにより、図１４に示されるように、領域Ａｓ（図１３参照）内の画素であった第一の画素ｐｔ１と領域Ａｓ外の画素であった第二の画素ｐｔ０とを含む間引きされた区分データが得られる。
【００２５】
第一の装置３においてステップＳ６で得られた間引きされた区分データは、第二の装置４に送られる。第四の演算処理部４３は、間引きされた二次元の区分データについて、画像処理（演算処理）を実行する。なお、図１４の領域Ａ２は、図１５の領域Ａ２に対応する。すなわち、図１５には、図１４より広い領域の区分データが示されている。また、座標ｍは座標ｉと同方向であり、座標ｎは座標ｊと同方向である。
【００２６】
第四の演算処理部４３は、間引きされた区分データから第一の画素ｐｔ１が集まった画素群Ａ３，Ａ４（図１５参照）を得る（ステップＳ７）。画素群Ａ３，Ａ４は、それぞれ、互いに隣接した第一の画素ｐｔ１の集合（塊）である。このステップＳ７で、第四の演算処理部４３は、第一の画素ｐｔ１をサーチし、見つかった第一の画素ｐｔ１を基準として、隣接した第一の画素ｐｔ１をさらにサーチするアルゴリズムを実行する。このアルゴリズムは、隣接した第一の画素ｐｔ１が見つからなくなるまで実行される。このステップＳ７で、第四の演算処理部４３は、所謂グルーピングとラベリングとを実行する。また、このステップＳ７で、第四の演算処理部４３は、ラベリングされた画素群Ａ３，Ａ４毎に、画素数（大きさ）や形状等の特徴を取得する。
【００２７】
次に、第五の演算処理部４４は、画素群Ａ３，Ａ４の中から特定領域を決定する（ステップＳ８）。このステップＳ８で、第五の演算処理部４４は、画素群Ａ３，Ａ４毎の特徴から特定領域を決定する。一例として、第五の演算処理部４４は、各画素群Ａ３，Ａ４の画素数が所定の閾値と同じかあるいは当該閾値（一例として、画素数：３）より多い場合には当該画素群（図１５，１６の例では画素群Ａ３）を特定領域と決定し、所定の閾値より少ない場合には当該画素群（図１５の例では画素群Ａ４）を特定領域にはしない。これにより、サイズの小さい画素群が検出の対象外とされる。この場合、ステップＳ８によって、フィルタリングの効果が得られる。なお、例えば、ステップＳ７で得られた画素群の全てを特定領域と決定したり、画素数が所定値（上限値）と同じかより少ない画素群を特定領域と決定したりするなど、第五の演算処理部４４の判断基準は種々に設定することが可能である。
【００２８】
次に、第七の演算処理部４５は、ステップＳ３で第六の演算処理部３６が取得した間引きされた画像データとステップＳ８で第五の演算処理部４４で特定された特定領域（図１６の例では画素群Ａ３）を示すデータとを合成する（ステップＳ９）。このステップＳ９では、第七の演算処理部４５は、一例として、間引きされた画像データの輝度値と、特定領域の画素に設定された輝度値（例えば、所定の色の輝度値）とを加算合成する。特定領域の画素に設定された輝度値の設定は、適宜に変更することができる。そして、表示制御部４６は、第七の演算処理部４５で合成された画像データが表示されるよう、表示部５を制御する（ステップＳ１０）。これにより、表示部５には、一例として、図１７に示されるような画像Ｉｍが表示される。画像Ｉｍには、間引きされた画像データに含まれていた画像Ｉｍ２と、特定領域（画素群Ａ３）に対応した画像Ｉｍ１と、が含まれている。なお、画像Ｉｍ１の見え方は、ステップＳ９での輝度値の設定によって変化する。画像Ｉｍ１は、画像Ｉｍ２に透過された状態で重畳されることができるし、あるいは、塗りつぶされた状態で重畳されることができる。特定領域（画素群Ａ３）に対応した画像Ｉｍ１は、一例としては、検査対象物１００の検査対象領域における異常を示す。
【００２９】
以上、説明したように、本実施形態では、一例として、前処理部３１は、画像処理部３０，４０で画像処理が行われる前に、当該画像処理の対象となる画像データの輝度値（各画素の輝度値、画素データ）を、検査対象物１００が移動する速度が遅いほど低くなるよう修正する。よって、本実施形態によれば、一例としては、検査対象物１００の速度が変化する場合にあっても、画像処理部３０，４０での画像処理に支障が来されにくい。一例としては、速度が異なることによって、画像の明るさや、濃度、コントラストが局所的に変化するのが抑制される。また、一例としては、速度が異なる状態で撮像部２で撮像された画素の輝度値（画素データ）について同じ閾値を用いることができる。よって、一例としては、画像処理部３０，４０における演算がより精度良くあるいはより容易に実行されやすい。
【００３０】
また、本実施形態では、一例として、前処理部３１は、検査対象物１００を搬送する搬送部１０に含まれるローラ１０ａの回転数に基づいて、画像データの輝度値（画素データ）を修正することができる。よって、本実施形態によれば、一例としては、検査対象物１００が移動する速度が遅いほど輝度値を低くする修正を、より精度良くあるいはより容易に実行することができる。
【００３１】
また、本実施形態では、一例として、前処理部３１は、検査対象物１００に対応して、例えば、当該検査対象物１００と同時に撮像された参照マーク１０１の画像の輝度値に基づいて、画像データの輝度値（画素データ）を修正することができる。よって、本実施形態によれば、一例としては、検査対象物１００が移動する速度が遅いほど輝度値を低くする修正を、より精度良くあるいはより容易に実行することができる。
【００３２】
また、本実施形態では、第二の装置４の特に第四の演算処理部４３によるステップＳ７での演算処理は、バリエーションや場合分けが多くなるため、並列演算には向かない。一方、第一の装置３の各部によるステップＳ１〜Ｓ６では、複数の画素について論理ゲートによる並列演算が可能である。一例として、第二の演算処理部３４によるステップＳ５での第一の画素ｐ１の拡張については、一定の範囲内の複数の画素の区分データの論理和で算出することができる。すなわち、本実施形態では、第一の装置３で並列演算を実行するとともに、第二の装置４で並列演算に向かない演算を実行することで、本実施形態にかかる画像処理をより高速化することができる。これにより、一例としては、撮像部２によって撮像した結果に基づく欠陥や異常等の検出の周期をより短くすることができ、ひいては、検出効率の向上や、製品のスループットの向上等に資する。
【００３３】
また、本実施形態では、一例として、第一の装置３は、プログラマブルロジックデバイスを含むことができる。よって、本実施形態によれば、一例としては、検査対象物１００や、検査対象領域、検査環境、要求される精度や周期等に応じて第一の装置３のスペックを変更して、より不都合が少ない状態で演算処理（検査）が実行されやすい。
【００３４】
また、本実施形態では、一例として、第一の装置３では、第二の演算処理部３４で区分データの第一の画素ｐ１を拡張した後、第三の演算処理部３５で間引きを行う。したがって、第一の演算処理部３３がステップＳ４で特定した第一の画素ｐ１が間引きによって消失されにくくなる。
【００３５】
さらに、本実施形態では、一例として、一つの第一の画素ｐ１に対応した一定の範囲（Ａｓ１，Ａｓ２等）を、少なくとも一つの格子状の画素ｐｔが含まれる大きさに設定することができる。すなわち、ステップＳ６での間引き率（＝（抽出される画素数）／（一定の範囲の画素数））を１／ｔ（ｔ：２以上の整数）としたとき、ステップＳ５での拡張率ｓ（＝一つの画素に対して拡張される画素の数）をｔ以上とすることができる。こうすれば、ステップＳ４で特定された第一の画素ｐ１が間引きによって消失するのを回避できる。本実施形態によれば、一例としては、間引きにより表示の分解能や欠陥や異常等として特定されるべき領域の位置精度は低下するものの、欠陥や異常等として特定されるべき領域の大きさの分解能は高く維持される。すなわち、小さな欠陥や異常等でも検出できる能力は、間引きによっては低下され難い。
【００３６】
なお、間引き率１／ｔと拡張率ｓについては、ｔ＜ｓと設定する、すなわち、間引き率１／ｔの逆数を拡張率ｓより小さく設定することで、画素数の少ない画素群を演算処理の対象外とすることができる。すなわち、この場合は、第二の演算処理部３４および第三の演算処理部３５を、ノイズフィルタとして機能させることができる。また、一定の範囲（Ａｓ１，Ａｓ２等）のスペック（大きさ、形状）は、適宜に設定することができる。
【００３７】
また、本実施形態では、一例として、第五の演算処理部４４は、画素群（Ａ３，Ａ４等）に含まれる画素数が所定数と同じかあるいは超えている場合に、当該画素群を特定領域と決定する。よって、本実施形態によれば、一例としては、検出ノイズが減りやすい。
【００３８】
また、本実施形態では、一例として、第七の演算処理部４５は、間引きされた画像データと特定領域（画素群Ａ３）を示すデータとを合成する。よって、本実施形態によれば、一例としては、表示部５に表示された画像中で特定領域がどのように位置されているかがわかりやすい。
【００３９】
以上、本発明の実施形態を例示したが、上記実施形態はあくまで一例である。実施形態は、その他の様々な形態で実施されることが可能であり、発明の要旨を逸脱しない範囲で、種々の省略、置き換え、組み合わせ、変更を行うことができる。また、実施形態の構成や形状は、部分的に他の構成や形状と入れ替えて実施することも可能である。また、各構成や形状等のスペック（構造や、種類、方向、角度、形状、大きさ、長さ、幅、厚さ、高さ、数、配置、位置、材質等）は、適宜に変更して実施することができる。
【符号の説明】
【００４０】
１…画像処理システム、３…第一の装置、１０…搬送部、１０ａ…回転部、３１…前処理部、４…第二の装置、３０，４０…画像処理部、３３…第一の演算処理部、３４…第二の演算処理部、３５…第三の演算処理部、４３…第四の演算処理部、４４…第五の演算処理部、４５…第七の演算処理部、１００…検査対象物、１０１…参照マーク。
【図１】
2014092481.tif 000003
【図２】
2014092481.tif 000004
【図３】
2014092481.tif 000005
【図４】
2014092481.tif 000006
【図５】
2014092481.tif 000007
【図６】
2014092481.tif 000008
【図７】
2014092481.tif 000009
【図８】
2014092481.tif 000010
【図９】
2014092481.tif 000011
【図１０】
2014092481.tif 000012
【図１１】
2014092481.tif 000013
【図１２】
2014092481.tif 000014
【図１３】
2014092481.tif 000015
【図１４】
2014092481.tif 000016
【図１５】
2014092481.tif 000017
【図１６】
2014092481.tif 000018
【図１７】
2014092481.tif 000019